(57)【要約】【課題】特に複数の使用者で棋類遊戯を行うことができる棋類用具を提供する。【解決手段】上面を有する本体と、該本体の上面に設けられる枠部１１と、該枠部１１の内側において区切られた複数のマスと、該枠部１１の内側に設けられる中央部１２と、該中央部１２の外側に周設されると共に、該中央部１２を介してそれぞれ互いに対向する４つの国界区１３と、隣接する国界区１３の境界に設けられる長江線１４と、国界区１３と中央部１２との境界に設けられる黄河線１５とを備える盤１０と、  色で区別され、夫々前記盤１０に配置される１６枚のシャンチー駒２０を具備する少なくとも３セットのシャンチー駒セットと、を有することを特徴とする。【選択図】図２
0003181800.tif 000002
【実用新案登録請求の範囲】
【請求項１】
上面を有する本体と、該本体の上面に設けられる枠部と、該枠部の内側において区切られた複数のマスと、該枠部の内側に設けられる中央部と、該中央部の外側に周設されると共に、該中央部を介してそれぞれ互いに対向する４つの国界区と、隣接する国界区の境界に設けられる長江線と、国界区と中央部との境界に設けられる黄河線とを備える盤と、
色で区別され、夫々前記盤に配置される１６枚のシャンチー駒を具備する少なくとも３セットのシャンチー駒セットと、を有することを特徴とする棋類用具。
【請求項２】
前記盤の枠部の内側にそれぞれ間隔をおいて、互いに平行する１９本の縦マス線と、それぞれ間隔をおいて、互いに平行する１９本の横マス線とが設けられ、
前記複数のマスは、前記１９本の縦マス線と１９本の横マス線とが直交することにより区切られたものであることを特徴とする請求項１に記載の棋類用具。
【請求項３】
前記中央部は１００マス有することを特徴とする請求項１または請求項２に記載の棋類用具。
【請求項４】
さらに、色で区別され、夫々前記盤に配置するための複数の碁石を具備する２セットの碁石セットを有することを特徴とする請求項１ないし請求項３の何れか一項に記載の棋類用具。
【考案の詳細な説明】
【技術分野】
【０００１】
本考案は、特に複数の使用者で棋類遊戯を行うための棋類用具に関するものである。
【背景技術】
【０００２】
従来の棋類用具には、例えば、二人で対戦するタイプの中国の象棋（シャンチー）や囲碁などがあり、例えばシャンチーの用具は、表面に複数のマスを有するシャンチー盤と２セットのシャンチー駒セットを有し、該シャンチー盤にはフレーム部が設けられ、該フレーム部の中央に「楚河漢界」と書かれた帯状の区域が設けられ、該「楚河漢界」の区域の両側に夫々３２マスを有する。また、前記２セットのシャンチー駒セットは、色で区別され、夫々１６枚のシャンチー駒を有する。
【考案の概要】
【考案が解決しようとする課題】
【０００３】
このシャンチーの用具を用いれば、明棋（ミンチー）或いは暗棋（アンチー）の打ち方で遊戯を行うことができる。前記「明棋」は、正式なルールで行う打ち方であり、一方、「暗棋」は、駒を裏返した状態で遊戯を始める一種の変則的なルールで行う打ち方である。しかしながら、何れも二人で対戦する棋類遊戯であることから、対戦も変化に乏しいので、より大勢で楽しめる棋類遊戯が要求されていた。
【０００４】
そこで、案出されたのが本考案であって、複数の使用者で棋類遊戯を行うことができる棋類用具を提供することを目的としている。
【課題を解決するための手段】
【０００５】
本願の請求項１の考案は、上面を有する本体と、該本体の上面に設けられる枠部と、該枠部の内側において区切られた複数のマスと、該枠部の内側に設けられる中央部と、該中央部の外側に周設されると共に、該中央部を介してそれぞれ互いに対向する４つの国界区と、隣接する国界区の境界に設けられる長江線と、国界区と中央部との境界に設けられる黄河線とを備える盤と、
色で区別され、夫々前記盤に配置される１６枚のシャンチー駒を具備する少なくとも３セットのシャンチー駒セットと、を有することを特徴とする棋類用具、を提供する。
【０００６】
本願の請求項２の考案は、前記盤の枠部の内側にそれぞれ間隔をおいて、互いに平行する１９本の縦マス線と、それぞれ間隔をおいて、互いに平行する１９本の横マス線とが設けられ、
前記複数のマスは、前記１９本の縦マス線と１９本の横マス線とが直交することにより区切られたものであることを特徴とする請求項１に記載の棋類用具、を提供する。
【０００７】
本願の請求項３の考案は、前記中央部は１００マス有することを特徴とする請求項１または請求項２に記載の棋類用具、を提供する。
【０００８】
本願の請求項４の考案は、さらに、色で区別され、夫々前記盤に配置するための複数の碁石を具備する２セットの碁石セットを有することを特徴とする請求項１ないし請求項３の何れか一項に記載の棋類用具、を提供する。
【考案の効果】
【０００９】
本考案は上記の課題を解決するものであり、各シャンチー駒セットのシャンチー駒を明棋の配置方法に従い、夫々対応する国界区に配置すれば、二人、三人、または四人でシャンチーを行うことができるのみならず、シャンチー駒を中央部に配置することにより、二人、三人、または四人で暗棋を行ってもよく、更に、この棋類用具を利用し、シャンチー麻雀を行っても構わないことから、本考案は、変化性及び面白さに富んだ棋類遊戯を複数の使用者で行える棋類用具を提供するものである。
【図面の簡単な説明】
【００１０】
【図１】本考案に係る棋類用具における盤の平面図である。
【図２】本考案に係る棋類用具を用いて三人で明棋を行っている時の状態を示す平面図である。
【図３】本考案に係る棋類用具を用いて四人で明棋を行っている時の状態を示す平面図である。
【図４】本考案に係る棋類用具におけるシャンチー駒を暗棋の配置方法にセットした状態を示す平面図である。
【図５】本考案に係る棋類用具を用いて囲碁を行っている時の状態を示す平面図である。
【００１１】
図１に示すように、本考案に係る棋類用具は、盤１０と、少なくとも３セットのシャンチー駒セットとを有する。
【００１２】
前記盤１０は、上面を有する本体と、前記本体の上面に設けられる枠部１１と、該枠部１１の内側において区切られた複数のマスと、該枠部１１の内側に設けられる中央部１２と、該中央部１２の外側に周設されると共に、該中央部１２を介してそれぞれ互いに対向する４つの国界区１３と、隣接する国界区１３の境界に設けられる長江線１４と、国界区１３と中央部１２との境界に設けられる黄河線１５とを備え、また、該盤１０の枠部１１の外側に夫々、該４つの国界区１３に対応する東、西、南、北との標示が設けられる。
【００１３】
各シャンチー駒セットは、前記盤１０に配置される１６枚のシャンチー駒２０を有し、該各シャンチー駒セットのシャンチー駒はそれぞれ色で区別され、例えば、４セットのシャンチー駒セットを使用する場合、各シャンチー駒は夫々、黒、緑、赤、青で区別され、該黒及び緑の２セットのシャンチー駒セットは夫々、５枚の「卒」、２枚の「包」、２枚の「馬」、２枚の「車」、２枚の「象」、２枚の「士」及び１枚の「將」からなり、一方、前記赤及び青の２セットのシャンチー駒セットは夫々、５枚の「兵」、２枚の「砲」、２枚の「イ馬」、２枚の「俥」、２枚の「相」、２枚の「仕」及び１枚の「帥」からなる。
【００１４】
前記盤１０の枠部１１の内側にそれぞれ間隔をおいて、互いに平行する１９本の縦マス線１６と、それぞれ間隔をおいて、該１９本の縦マス線１６と直交し、互いに平行する１９本の横マス線１７とが設けられ、前記盤１０の複数のマスは、互いに直交する該１９本の縦マス線１６及び１９本の横マス線１７により区切る。また、前記中央部１２は１００マスを有する。
【００１５】
図５に示すように、本考案に係る棋類用具はさらに色で区別された２セットの碁石セットを有し、該各碁石セットは、前記盤１０に配置するための複数の碁石３０であり、この２セットの碁石セットにおける複数の碁石３０を前記盤１０の枠部１１の内側に配置することにより、囲碁や五目並べなどの棋類遊戯を行うことができる。
【００１６】
上述したように、本考案に係る棋類用具によれば、二人、三人、または四人でシャンチー、即ち、明棋を行うことができ、その内、二人で行う場合は、東及び西又は南及び北と表示された国界区１３を利用し、明棋のルールに従い、文字が表となるように２セットのシャンチー駒セットにおけるシャンチー駒を夫々の国界区１３に配置する。図２に示すように、三人で行う場合は、３つの国界区１３を選択し、３セットのシャンチー駒セットにおけるシャンチー駒を夫々の国界区１３に配置する。また、図２に示すように、四人で行う場合は、４セットのシャンチー駒セットにおけるシャンチー駒を夫々の国界区１３に配置する。
【００１７】
また、三人、四人で行う場合は、春秋時代又は戦国時代の戦のように、その内の二人または三人のプレイヤーが連盟を結成し、残りの一人と対局しても構わない。そして、一方の将または帥が取られて負けた場合、この将または帥を取られたプレイヤーのシャンチー駒が将または帥を取ったプレイヤーの駒となる。尚、その後、他のプレイヤーたちが新たなグループを結成して、前記将または帥を取ったプレイヤーに対抗しても構わなく、更に、「兵」、「卒」、「包」、「砲」、「馬」、「イ馬」、「車」、「俥」などのシャンチー駒は、前記黄河線１５を越えて、ほかのプレイヤーと戦ってもよいが、前記長江線１４を渡り迂回して強襲をしかけても構わない。
【００１８】
更に、図４に示すように、先ず本考案に係る棋類用具のシャンチー駒を裏返してまぜてから、裏返したまま中央部１２のマス目に配置することにより、二人、三人、または四人で暗棋という打ち方で遊ぶこともできる。なお、前記盤１０における三人制の暗棋を六人制のものとして遊ぶことも可能である。
【００１９】
また、５枚式、７枚式または９枚式のシャンチー麻雀を行うこともでき、例えば、本考案に係る棋類用具により、５枚式のシャンチー麻雀をする場合、５枚のシャンチー駒からなる手牌を１つの対子と１つの順子または刻子との組合わせにすることで和了となり、例えば「帥仕相」、「將士象」、「俥イ馬砲」、「車馬包」が順子を構成し、「兵兵兵」、「卒卒卒」が刻子を構成する。なお、７枚式のシャンチー麻雀を行う場合は、７枚のシャンチー駒からなる手牌を２つの対子と１つの順子または刻子との組合わせにすることで和了となり、また、９枚式のシャンチー麻雀の場合は、９枚のシャンチー駒からなる手牌を３つの対子と１つの順子または刻子、もしくは３つの順子または刻子の組合わせとなる。
【産業上の利用可能性】
【００２０】
本考案に係る棋類用具は上記の構成を有するので、複数の使用者で多様な棋類遊戯を行うことができる。例えば、三人または４人で行う明棋は、従来のシャンチーと比べ、綿密な大局思考がさらに要求されるので、視点や危機意識を養うことができる。また、シャンチー麻雀を行う時は、２セット以上のシャンチー駒を使用することにより、牌に関する計算及び思考を深める一方、１０８枚または１４４枚に及ぶ牌を使用する麻雀よりも短時間で決着をつけることができるので、より簡潔にスムーズに遊戯を進行させることができることから、座ったまま長時間に亘り遊戯することによる、精神及び体に対する悪影響を避けることができる上、複数の使用者が棋類遊戯の楽しさを味わうことができる。
【符号の説明】
【００２１】
１０        盤
１１        枠部
１２        中央部
１３        国界区
１４        長江線
１５        黄河線
１６        縦マス線
１７        横マス線
２０        シャンチー駒
３０        碁石
【図１】
0003181800.tif 000003
【図２】
0003181800.tif 000004
【図３】
0003181800.tif 000005
【図４】
0003181800.tif 000006
【図５】
0003181800.tif 000007